(57)【要約】【課題】部品点数を削減する。【解決手段】ノイズフィルタＦは、底壁部１３の外縁から周壁部（前面壁１３、側面壁１４及び後面壁１５）を立ち上げた形態のケース１０と、ケース１０内に収容され、軸線を底壁部１３と略直交するように向けた略円筒状のコイル２３と、コイル２３と対応するように底壁部１３に貫通して形成された取付孔２７と、磁性材料からなり、コイル２３と取付孔２７に挿通された状態でケース１０をアースボディ４０（他部材）に固定するボルト３１（固定部材）とを備える。ボルト３１は、ケース１０をアースボディ４０に固定する機能に加え、コイル２３内に収容されることでコアとしての機能も発揮するので、部品点数が少ない。【選択図】図２
2016154175.tif 000002
【特許請求の範囲】
【請求項１】
底壁部の外縁から周壁部を立ち上げた形態のケースと、
前記ケース内に収容され、軸線を前記底壁部と略直交するように向けた略円筒状のコイルと、
前記コイルと対応するように前記底壁部に貫通して形成された取付孔と、
磁性材料からなり、前記コイルと前記取付孔に挿通された状態で前記ケースを他部材に固定する固定部材とを備えていることを特徴とするノイズフィルタ。
【請求項２】
前記取付孔の孔縁から立ち上がって前記コイルを外嵌させる筒部を備えていることを特徴とする請求項１記載のノイズフィルタ。
【請求項３】
前記筒部には、径方向内側へ弾性撓み可能であり、前記コイルが前記筒部から離脱する方向へ相対変位することを規制する弾性規制片が形成されていることを特徴とする請求項２記載のノイズフィルタ。
【請求項４】
アースボディとして機能する前記他部材に固定されるものであって、
前記底壁部の外面に重ねられた金属板材からなるアース部材と、
前記取付孔と対応するように前記アース部材に形成された貫通孔と、
前記ケース内に収容されて前記アース部材に接続されたコンデンサとを備えており、
前記固定部材によって前記ケースが前記他部材に固定された状態では、前記アース部材が前記他部材に導通可能に接続されるようになっていることを特徴とする請求項１ないし請求項３のいずれか１項に記載のノイズフィルタ。
【発明の詳細な説明】
【技術分野】
【０００１】
本発明は、ノイズフィルタに関するものである。
【背景技術】
【０００２】
特許文献１には、ケース内に略円筒状のコイルを収容した形態のノイズフィルタが開示されている。ケースの外周縁には、ノイズフィルタを、ネジやボルト等の締結部材によって他部材に固定するための取付孔が形成されている。また、コイルの内部には、フィルタ機能を向上させるためにコアが収容されている。
【先行技術文献】
【特許文献】
【０００３】
【特許文献１】特開平１１−２９７５４０号公報
【発明の概要】
【発明が解決しようとする課題】
【０００４】
上記のノイズフィルタでは、他部材に固定するための締結手段と、フィルタ機能を向上させるためのコアが必要であるため、部品点数が多い。
本発明は上記のような事情に基づいて完成されたものであって、部品点数を削減することを目的とする。
【課題を解決するための手段】
【０００５】
本発明のノイズフィルタは、
底壁部の外縁から周壁部を立ち上げた形態のケースと、
前記ケース内に収容され、軸線を前記底壁部と略直交するように向けた略円筒状のコイルと、
前記コイルと対応するように前記底壁部に貫通して形成された取付孔と、
磁性材料からなり、前記コイルと前記取付孔に挿通された状態で前記ケースを他部材に固定する固定部材とを備えているところに特徴を有する。
【発明の効果】
【０００６】
固定部材は、ケースを他部材に固定する機能に加え、コイル内に収容されることでコアとしての機能も発揮する。したがって、本発明によれば、ケースを他部材に固定する手段とは別部品のコアを設ける場合に比べると、部品点数が少なくて済む。
【図面の簡単な説明】
【０００７】
【図１】実施例１のノイズフィルタの平面図
【図２】ノイズフィルタをアースボディに固定して接地した状態をあらわす断面図
【発明を実施するための形態】
【０００８】
（ａ）本発明のノイズフィルタは、前記取付孔の孔縁から立ち上がって前記コイルを外嵌させる筒部を備えていてもよい。この構成によれば、コイルをケース内で位置決めすることができる。
【０００９】
（ｂ）本発明のノイズフィルタは、（ａ）において、前記筒部には、径方向内側へ弾性撓み可能であり、前記コイルが前記筒部から離脱する方向へ相対変位することを規制する弾性規制片が形成されていてもよい。この構成によれば、弾性規制片によって、コイルを筒部に外嵌した状態に保持することができる。また、弾性規制片は、径方向内側へ弾性撓みするので、コイルを筒部に外嵌させる作業を容易に行うことができる。
【００１０】
（ｃ）本発明のノイズフィルタは、アースボディとして機能する前記他部材に固定されるものであって、前記底壁部の外面に重ねられた金属板材からなるアース部材と、前記取付孔と対応するように前記アース部材に形成された貫通孔と、前記ケース内に収容されて前記アース部材に接続されたコンデンサとを備えており、前記固定部材によって前記ケースが前記他部材に固定された状態では、前記アース部材が前記他部材に導通可能に接続されるようになっていてもよい。この構成によれば、アース部材を底壁部の外縁から張り出させずに済むので、アース部材の一部を底壁部の外縁から張り出させて他部材に固定する場合に比べると、ノイズフィルタを小型化することができる。
【００１１】
＜実施例１＞
以下、本発明を具体化した実施例１を図１〜図２を参照して説明する。本実施例のノイズフィルタＦは、自動車の車体を構成するアースボディ４０（請求項に記載の他部材）に取り付けられて接地されるようになっている。アースボディ４０は、金属製であり、板状をなしている。アースボディ４０には、その表面（図２における上面）から裏面に貫通する接続孔４１が形成されている。アースボディ４０の裏面には、雌ネジ孔４３を接続孔４１と同軸状に対応させたナット４２が、溶接等により固着されている。
【００１２】
ノイズフィルタＦは、ケース１０と、端子金具１９と、アース部材２０と、π型フィルタ２２と、ボルト３１（請求項に記載の固定部材）とを備えている。ケース１０は、合成樹脂製であり、上面が開放された本体１１と、蓋体３４とを備えて構成されている。本体１１は、収容部１２と筒状嵌合部１８とを一体に形成したものである。収容部１２は、平面視略方形をなす底壁部１３と、底壁部１３の外周縁から立ち上がる前面壁１４（請求項に記載の周壁部）、左右両側面壁１５（請求項に記載の周壁部）及び後面壁１６（請求項に記載の周壁部）とを備えている。つまり、収容部１２は、上面が開放された箱状をなしている。収容部１２の上面の開口部１７は蓋体３４によって塞がれている。底壁部１３の後端部（つまり、後面壁１６に近い領域）には、底壁部１３を上下に貫通することでケース１０の内外を連通させる開口部１７が形成されている。
【００１３】
筒状嵌合部１８は、前面壁１４の外周縁から前方へ突出した形態である。筒状嵌合部１８には、ワイヤーハーネス（図示省略）のコネクタ（図示省略）が嵌合されるようになっている。前面壁１４には、左右一対の端子金具１９が、圧入やインサート成形等により貫通した形態で取り付けられている。端子金具１９の前端側領域は筒状嵌合部１８内に収容され、端子金具１９の後端側領域は、収容部１２内に収容されている。
【００１４】
アース部材２０は、平面視略方形をなす金属板材からなり、インサート成形等によってケース１０の本体１１と一体化されている。アース部材２０は、底壁部１３の下面（外面）に沿うように配されている。アース部材２０の一部は、底壁部１３の開口部１７において収容部１２の内部に臨んでいる。また、アース部材２０には、収容部１２の中央部と対応する部分を上下方向（板厚方向）に貫通させた形態の円形の貫通孔２１が形成されている。
【００１５】
π型フィルタ２２は、収容部１２内に収容され、フィルタ素子としてのコイル２３と、同じくフィルタ素子としての一対のコンデンサ２４とを備えて構成されている。コイル２３は、略円筒状をなし、軸線を底壁部１３と略直角に向けた姿勢で、収容部１２の中央部に配されている。コイル２３の両端部は、一対の端子金具１９に半田付け等により接続されている。
【００１６】
一対のコンデンサ２４は、コイル２３の左右両側に配置されている。各コンデンサ２４から導出している一対のリード線２５，２６のうち一方のリード線２５は、半田付け等により端子金具１９に接続されている。各コンデンサ２４の他方のリード線２６は、ケース１０の開口部１７において、半田付け等によりアース部材２０の上面に接続されている。
【００１７】
底壁部１３には、アース部材２０の貫通孔２１と同心の円形をなす取付孔２７が、貫通した形態で形成されている。同じく底壁部１３には、取付孔２７の孔縁から底壁部１３と直角に上方へ立ち上がる円形の筒部２８が一体に形成されている。取付孔２７と筒部２８の内径は、同じ寸法である。取付孔２７の内径は貫通孔２１の内径とほぼ同じ寸法である。筒部２８の外径は、コイル２３のコイル２３径よりも少し小さい寸法である。底壁部１３の上面からの筒部２８の突出寸法は、コイル２３の軸線方向の長さ寸法（高さ寸法）よりも少し大きい寸法である。
【００１８】
筒部２８には、左右一対の弾性規制片２９が形成されている。弾性規制片２９は、上方へ片持ち状に延出した形態であり、その下端部（基端部）を支点として径方向へ弾性撓みし得るようになっている。各弾性規制片２９の上端部（延出端部）には、径方向外向きに突出する係止突起３０が形成されている。係止突起３０の高さは、筒部２８の上端よりも少し低い位置に設定されている。
【００１９】
筒部２８には、コイル２３が同軸状に外嵌されている。コイル２３を筒部２８に外嵌する際には、コイル２３の下端部を一対の係止突起３０に当接させることにより、一対の弾性規制片２９を径方向内側へ弾性撓みさせる。コイル２３の上端部が係止突起３０を通過すると、弾性規制片２９が径方向外側へ弾性復帰し、係止突起３０がコイル２３の上端部に対し、上から当接又は接近して対向する位置関係となる。したがって、筒部２８に外嵌されたコイル２３は、係止突起３０に係止することにより、筒部２８に対し上方への相対変位を規制されている。
【００２０】
ボルト３１は、外周に雄ネジ部が形成された円柱状の軸部３２と、軸部３２の上端部に形成された正六角形の頭部３３とを有する周知形態の締結部品である。軸部３２の外径は、取付孔２７、筒部２８、貫通孔２１及び接続孔４１の内径よりも少し小さい寸法である。また、頭部３３の外周に接する仮想外接円（図示省略）の径寸法は、筒部２８の外径よりも大きい寸法である。
【００２１】
次に、本実施例の作用を説明する。ノイズフィルタＦを組み付ける際には、まず、ケース１０の収容部１２内にコイル２３とコンデンサ２４を取り付ける。コイル２３は、上述のようにボルト３１が筒部２８内に挿通されていない状態で、筒部２８に外嵌する。コンデンサ２４は、図示しない位置決め手段などによりケース１０に固定することができる。コイル２３とコンデンサ２４をケース１０に取り付けたら、コイル２３を端子金具１９に接続するとともに、コンデンサ２４のリード線２５，２６を端子金具１９とアース部材２０に接続する。
【００２２】
この後は、ケース１０をアースボディ４０の表面（上面）に固定するのであるが、手順としては２通りある。１つ目の固定方法は、ケース１０をアースボディ４０に載置し、筒部２８（取付孔２７）と貫通孔２１がアースボディ４０の接続孔４１と同軸状に対応するように、ケース１０を位置決めする。その後、ボルト３１の軸部３２を、上方から筒部２８内に挿入し、ナット４２の雌ネジ孔４３にねじ込んで締め付ける。
【００２３】
２つめの固定方法は、筒部２８にボルト３１の軸部３２を挿通し、頭部３３の筒部２８の上端面に当接させるように手で保持する。このとき、軸部３２の下端部は、貫通孔２１を貫通してアース部材２０の下面（外面）よりも外方（下方）へ突出した状態となる。そして、軸部３２をアース部材２０の下方へ突出させたまま、目視等によって位置合わせし、軸部３２を、アースボディ４０の接続孔４１内に挿入し、ナット４２にねじ込んで締め付ける。
【００２４】
ボルト３１をナット４２にねじ込んで締め付けると、頭部３３が筒部２８の上端面に当接し、頭部３３とナット４２（アースボディ４０）との間でアース部材２０とケース１０が挟み付けられる。これにより、アース部材２０がアースボディ４０の上面に強く押し付けられ、アース部材２０とアースボディ４０が導通可能に接続される。また、頭部３３とナット４２による挟み付けにより、ケース１０（ノイズフィルタＦ）は、アースボディ４０に対し、前後方向、左右方向及び上下方向への相対移動を規制され、アースボディ４０に固定される。このようにノイズフィルタＦをアースボディ４０に固定した状態では、磁性体であるボルト３１の軸部３２が、コイル２３の中空を貫通するように位置し、コイル２３のコア（磁心）として機能する。
【００２５】
上述のように本実施例のノイズフィルタＦは、ケース１０とコイル２３と取付孔２７とボルト３１とを備えて構成されている。ケース１０は、底壁部１３の外縁から周壁部（前面壁１４、側面壁１５及び後面壁１６）を立ち上げた形態である。コイル２３は、略円筒状をなしてケース１０内に収容され、軸線を底壁部１３と略直交するように向けている。取付孔２７は、コイル２３と対応するように底壁部１３に貫通して形成されている。ボルト３１は、磁性材料からなり、コイル２３と取付孔２７に挿通された状態でケース１０をアースボディ４０に固定する。ボルト３１は、ケース１０をアースボディ４０に固定する機能に加え、コイル２３内に収容されることでコアとしての機能も発揮する。したがって、本実施例のノイズフィルタＦは、ケース１０をアースボディ４０に固定する手段とは別部品の専用のコアを設ける場合に比べると、部品点数が少なくて済んでいる。
【００２６】
また、ノイズフィルタＦは、取付孔２７の孔縁から立ち上がってコイル２３を外嵌させる筒部２８を備えている。この構成によれば、筒部２８により、コイル２３をケース１０内で位置決めすることができる。しかも、筒部２８には、径方向内側へ弾性撓み可能であり、コイル２３が筒部２８から離脱する方向へ相対変位することを規制する弾性規制片２９が形成されている。したがって、弾性規制片２９により、コイル２３を筒部２８に外嵌した状態に保持することができる。また、弾性規制片２９は、径方向内側へ弾性撓みするので、コイル２３を筒部２８に外嵌させる作業を容易に行うことができる。
【００２７】
また、ノイズフィルタＦは、アースボディ４０に固定されるものであり、アースボディ４０に接触する手段として、底壁部１３の外面に重ねられた金属板材からなるアース部材２０を有している。このアース部材２０には、ケース１０の取付孔２７と対応するように貫通孔２１が形成されており、ケース１０内には、アース部材２０に接続されたコンデンサ２４が収容されている。そして、ボルト３１によってケース１０がアースボディ４０に固定された状態では、アース部材２０がアースボディ４０に導通可能に接続される。この構成によれば、アース部材２０の一部を、平面視において底壁部１３の外縁から張り出させずに済む。したがって、アース部材２０の一部を底壁部１３の外縁から張り出させてアースボディ４０に固定する場合に比べると、本実施例のノイズフィルタＦは小型化することができる。
【００２８】
＜他の実施例＞
本発明は上記記述及び図面によって説明した実施例に限定されるものではなく、例えば次のような実施例も本発明の技術的範囲に含まれる。
（１）上記実施例では、コイルを外嵌させる筒部を形成したが、筒部を収容空間内に収容することによって位置決めしてもよい。
（２）上記実施例では、コイルの離脱を規制するための弾性規制片を筒部に形成したが、コイルが筒部から離脱するのを規制する手段は、底壁部に形成してもよい。
（３）上記実施例では、コイルが筒部から離脱するのを規制するための弾性規制片を設けたが、コイルが筒部から離脱するのを規制する手段を設けない形態としてもよい。
（４）上記実施例では、他部材にねじ込まれるボルトを固定部材としたが、固定部材は、他部材に対し弾性的に係止することによってケースを他部材に固定するクリップであってもよい。
（５）上記実施例では、コイルが金属素線を一重に螺旋巻きしたものであるが、本発明は、コイルが、金属素線を径方向に重なるように多重に螺旋巻きしたものである場合にも適用できる。
（６）上記実施例では、ケースにアース部材とコンデンサを設けたが、本発明は、アース部材とコンデンサを有しないノイズフィルタにも適用できる。
【符号の説明】
【００２９】
Ｆ…ノイズフィルタ
１０…ケース
１３…底壁部
１４…前面壁（周壁部）
１５…側面壁（周壁部）
１６…後面壁（周壁部）
２０…アース部材
２１…貫通孔
２３…コイル
２４…コンデンサ
２７…取付孔
２８…筒部
２９…弾性規制片
３１…ボルト（固定部材）
４０…アースボディ（他部材）
【図１】
2016154175.tif 000003
【図２】
2016154175.tif 000004